(57)【要約】      （修正有）【課題】片手で、プルトップ缶の内蓋を開くことができるプルトップ缶保持具とプルトップ缶オープナーを提供することを課題とする。【解決手段】プルトップ缶保持具とプルトップ缶オープナー４０は、ベース１と前記ベースの下部に設けられているスベリ止め２と前記ベース上部に取り付けられている角リング５のガイドポスト３とを設けたガイド付きベースと、缶を押えるときガイドポストを締め上げるための支点となる爪と缶を押さえた時缶が外れないための爪と前記爪と前記爪を設けた前記角リングと前記角リングの角リング内側角部と前記爪の先端部が常に前記ガイドポストに接触するよう与圧を与える前期角リングに取り付けられたスプリング６とを設けた缶押さえと、プルトップ缶５０のタブに挿入しこれを引き上げるための爪とこれを取り付けた縦に細長い台形上のグリップ９とを設けたプルトップ缶オープナーとを構成【選択図】図３
2017065682.tif 000002
【特許請求の範囲】
【請求項１】
プルトップ缶を押さえたとき前記プルトップ缶が外れないための爪と、押さえた前記プルトップ缶の浮き上がる力で自らのガイドポストを締め上げガイドポストに強固に固定される角リングとの構成を特徴とするプルトップ缶保持具と、プルトップ缶タブを引き掛け、タブを引き起こし、プルトップ缶内蓋を引き剥がすための爪と、前記爪を取り付けタブを引き起こし、プルトップ缶内蓋を引き剥がすためテコの支点としてグリップの底部の一部、底部角、側面の一部を使用する前記グリップとの構成を特徴とするプルトップ缶オープナー。
【発明の詳細な説明】
【技術分野】
【０００１】
本発明は、プルトップ缶保持具とプルトップ缶オープナーに関するものである。
【背景技術】
【０００２】
従来のプルトップ缶の内蓋を開くには、内蓋にピッタリ張り付いているタブを立ち上げて、タブに指を掛け、内蓋を引き剥がさねばならない。内蓋はアルミ製とブリキ製があり、ブリキ製の内蓋を引き剥がすには強い力が必要であり、指先の力が弱い人や片手が不自由な人にはプルトップ缶の内蓋を開くのは困難であった。
【発明の概要】
【発明が解決しようとする課題】
【０００３】
片手で、プルトップ缶の内蓋を開くことができるプルトップ缶保持具とプルトップ缶オープナーを提供することを課題とする。
【課題を解決するための手段】
【０００４】
本発明が上記課題を解決するために提供するプルトップ缶保持具とプルトップ缶オープナーは、
ベース１と前記ベース１の下部に設けられているスベリ止め２と前記ベース１上部に取り付けられている角リング５のガイドポスト３とを設けたガイド付きベース２０と、缶を押えるときガイドポストを締め上げるための支点となる爪Ａ４と缶を押さえた時缶が外れないための爪Ｂ７と前記爪Ａ４と前記爪Ｂ７を設けた前記角リング５と前記角リングの角リング内側角部５aと前記爪７の先端部７aが常に前記ガイドポスト３に接触するよう与圧を与える前記角リング５に取り付けられたスプリング６とを設けた缶押さえ３０と、プルトップ缶のタブ５０aに挿入しこれを引き上げるための爪Ｃ８とこれを取り付けた縦に細長い台形上のグリップ９とを設けたプルトップ缶オープナー４０とを構成とすることを特徴とする。
前記角リング５が缶を押さえた後、缶が浮き上がろうとして前記角リング５を押し上げようとすると、前記角リング５は前記爪Ａ４先端部４aを支点として前記角リング内側角部５aが前記ガイドポスト３を締め上げ、ガイドポストに強固に固定され移動しない。  グリップ形状はL字形または、逆T字形でもよい。
【発明の効果】
【０００５】
プルトップ缶の大きさに関わらず、片手でもプルトップ缶内蓋を開くことができる。
【図面の簡単な説明】
【０００６】
【図１】本発明の実施例の全体構成図
【図２】図１平面図
【図３】図２のＡ−Ｂ縦断面図
【図４】図３のＣ部拡大図
【図５】図３のＤ部拡大図
【図６】要部縦断面図（プルトップ缶をベースに乗せる）
【図７】要部縦断面図（プルトップ缶を缶押さえで押さえる）
【図８】要部縦断面図（プルトップ缶タブにオープナーの爪Ｂを挿入する）
【図９】要部縦断面図（オープナーをガイドポストの反対側に倒す）
【図１０】要部縦断面図（プルトップ缶タブを垂直に立ち上げる）
【図１１】要部縦断面図（プルトップ缶タブを反対側に回す）
【図１２】要部縦断面図（プルトップ缶タブにオープナーの爪Ｂを挿入する）
【図１３】要部縦断面図（オープナーをガイドポストの反対側に倒す）
【図１４】要部縦断面図（さらに、オープナーをガイドポストの反対側に倒す）
【図１５】要部縦断面図（さらに、さらに、オープナーをガイドポストの反対側に倒す）
【図１６】要部縦断面図（オープナーをガイドポストの反対側に倒しきる）
【図１７】要部縦断面図（オープナーを外し、タブに指を入れ、プルトップ缶内蓋を十分に開ける）
【図１８】要部縦断面図（完了）
【発明を実施するための最良の形態】
【０００７】
本発明を実施するための最良の形態を実施例によって説明する。
【０００８】
本発明の実施例を図１、図２、図３、図４、図５、図６、図７、図８、図９、図１０、図１１、図１２、図１３、図１４、図１５、図１６、図１７及び図１８により説明する。図１は全体構成図であり、図２は図１の平面図であり、図３は図２のＡ−Ｂ縦断面図であり、図４は図３のＣ部断面拡大図あり、図５は図３のＤ部断面拡大図ある。さらに図６から図１８は、プルトップ缶の内蓋をはがす工程を示すものである。順を追って説明する。
【０００９】
［実施例の構成について説明する］
【００１０】
本実施例のプルトップ缶保持具とプルトップ缶オープナーは、図１、及び図２に示すようにプルトップ缶を乗せるガイドポスト付きベース２０と、プルトップ缶押さえ３０と、プルトップ缶オープナー４０より構成される。
【００１１】
図３、図４、図５にて詳細を説明する。
プルトップ缶保持具とプルトップ缶オープナーはベース１と前記ベース１の下部に設けられているスベリ止め２と前記ベース１上部に取り付けられている角リング５のガイドポスト３とを設けたガイド付きベース２０と、缶を押えるときガイドポストを締め上げるための支点となる爪Ａ４と缶を押さえた時缶が外れないための爪Ｂ７と前記爪Ａ４と前記爪Ｂ７を設けた前記角リング５と前記角リングの角リング内側角部５aと前記爪７の先端部７aが常に前記ガイドポスト３に接触するよう与圧を与える前記角リング５に取り付けられたスプリング６とを設けた缶押さえ３０と、プルトップ缶のタブ５０aに挿入しこれを引き上げるための爪Ｃ８とこれを取り付けた縦に細長い台形上のグリップ９とを設けたプルトップ缶オープナー４０とを構成とすることを特徴とする。
前記角リング５が缶を押さえた後、缶が浮き上がろうとして前記角リング５を押し上げようとすると、前記角リング５は前記爪Ａ４先端部４aを支点として前記角リング内側角部５aが前記ガイドポスト３を締め上げ、ガイドポストに強固に固定され移動しない。  グリップ形状はL字形または、逆T字形でもよい。
【００１２】
［実施例の機能について説明する］
【００１３】
図６、図７、図８、図９及び図１０によりプルトップ缶のタブを垂直に立ち上げるまでを説明する。
【００１４】
図６により説明する。
図６の通り前記ガイド付きベース２０のベース１の上にプルトップ缶５０を置く
【００１５】
図７により説明する。
プルトップ缶巻き締め部５０ｂの内側に爪Ｂ先端部７aに接するようにする前記プルトップ缶５０を移動し、角リング５を下げる。さらにスプリング取り付け部６aを図示のように押して、プルトップ缶巻き締め部５０bをガタなく押さえる。
【００１６】
図８により説明する。
プルトップ缶タブ５０aにオープナー４０の爪Ｃ先端部８aを図矢印の方向に挿入する。
【００１７】
図９により説明する。
前記プルトップ缶オープナー４０のグリップ９を前記ガイドポスト付ベースのガイドポスト３の反対側に倒す。この途中で、前記グリップ９のグリップ底部９aと前記プルトップ缶巻き締め部５０ｂとの接触点ができる。この点をテコの支点としてグリップを倒す力は増力されてプルトップ缶タブ５０aを引き起こす。
このときプルトップ缶５０を押さえている角リング５は押し上げられる力を受ける。前記角リング５は前記爪Ａ先端部４aを支点として前記角リング内側角部５aがガイドポスト３を締め上げ、前記ガイドポスト３に強固に固定され移動しない。
【００１８】
図１０により説明する。
前記プルトップ缶タブ５０aが直立する程度まで、前記グリップ９を倒す。
【００１９】
図１１、図１２、図１３、図１４、図１５、図１６、図１７及び図１８によりプルトップ缶のプルトップ内蓋部５０cを開くまでを説明する。
【００２０】
図１１により説明する。
前記プルトップ缶５０を半回転させ、直立した前記プルトップ缶タブ５０aを前記ガイドポスト側に置き、スプリング取り付け部６aを図示のように押して、プルトップ缶巻き締め部５０bをガタなく押さえる。
【００２１】
図１２により説明する。
プルトップ缶タブ５０aにオープナー４０の爪Ｃ先端部８aを図矢印の方向に挿入する。
【００２２】
図１３により説明する。
前記プルトップ缶オープナー４０のグリップ９を前記ガイドポスト付ベースのガイドポスト３の反対側に倒す。この途中で、前記グリップ９のグリップ底部角９bと前記プルトップ缶内蓋部５０c接触する。前記グリップ底部角９bをテコの支点としてグリップを倒す力は増力されてプルトップ缶タブ５０aを引き上げ、さらに前記プルトップ缶巻き内蓋部５０cをはがし始める。
このとき前記プルトップ缶５０を押さえている角リング５は押し上げられる力を受ける。前記角リング５は前記爪Ａ先端部４aを支点として前記角リング内側角部がガイドポストを締め上げ、ガイドポストに強固に固定され移動しない。
【００２３】
図１４により説明する。
前記グリップ９を前記ガイドポスト３の反対側にさらに倒す。
【００２４】
図１５により説明する。
前記グリップ９を前記ガイドポスト３の反対側にさらにさらに倒すと。前記グリップのグリップ側面部９cが前記プルトップ缶巻き締め部５０aに接触する。今度はこの接触点をテコの支点として、グリップ９を図示矢印方向にさらに倒す。
【００２５】
図１６により説明する。
グリップ９を十分に倒しきれば、プルトップ缶内蓋部５０cとプルトップ缶巻き締め部の元は一体であった部材のつながりはわずかになっている。
【００２６】
図１７、及び図１８により説明する。
プルトップ缶内蓋部５０cとプルトップ缶巻き締め部のつながりは、わずかになっているので、プルトップ缶タブに直接指を掛け、プルトップ缶内蓋部を任意の位置まで開くことができる。
【符号の説明】
【００２７】
１            ベース
２            スベリ止め
３            ガイドポスト
４            爪Ａ
４ａ          爪Ａ先端部
５            角リング
５ａ          角リング内側角部
５ｂ          角リングスプリング取り付け部
６            スプリング
７            爪Ｂ
７ａ          爪Ｂ先端部
８            爪Ｃ
８ａ          爪Ｃ先端部
９            グリップ
９ａ          グリップ底部
９ｂ          グリップ底部角
９ｃ          グリップ側面部
２０          ガイドポスト付ベース
３０          プルトップ缶押さえ
４０          プルトップ缶オープナー
５０          プルトップ缶
５０ａ        プルトップ缶タブ
５０ｂ        プルトップ缶巻き締め部
５０ｃ        プルトップ缶内蓋部
【図１】
2017065682.tif 000003
【図２】
2017065682.tif 000004
【図３】
2017065682.tif 000005
【図４】
2017065682.tif 000006
【図５】
2017065682.tif 000007
【図６】
2017065682.tif 000008
【図７】
2017065682.tif 000009
【図８】
2017065682.tif 000010
【図９】
2017065682.tif 000011
【図１０】
2017065682.tif 000012
【図１１】
2017065682.tif 000013
【図１２】
2017065682.tif 000014
【図１３】
2017065682.tif 000015
【図１４】
2017065682.tif 000016
【図１５】
2017065682.tif 000017
【図１６】
2017065682.tif 000018
【図１７】
2017065682.tif 000019
【図１８】
2017065682.tif 000020